(57)【要約】【課題】組み立て時にコネクタ部の接続不良を認識することが可能な電力変換装置を提供する。【解決手段】この電力変換装置１は、基板１０と、基板１０に積層するように設けられる基板２０と、基板１０と基板２０との間に設けられ、基板２０を支持する支持部材３０とを備える。そして、支持部材３０は、コネクタ部１２が挿入される穴部３１と、穴部３１の縁部３３の外側から基板２０側に突出する凸部３４と、穴部３１と凸部３４との間に設けられる段差部３５とを含む。【選択図】図３
2018196161.tif 000002
【特許請求の範囲】
【請求項１】
主回路部が設けられるとともに、第１コネクタ部を含む第１基板と、
前記第１基板に積層するように設けられ、前記第１基板の前記第１コネクタ部に接続される第２コネクタ部を含む第２基板と、
前記第１基板と前記第２基板との間に設けられ、前記第２基板を支持する支持部材とを備え、
前記支持部材は、前記第１コネクタ部が挿入される支持部材側穴部と、前記支持部材側穴部の縁部の外側から前記第２基板側に突出する第１凸部と、前記支持部材側穴部と前記第１凸部との間に設けられる段差部とを含む、電力変換装置。
【請求項２】
前記第２コネクタ部は、所定の方向に沿って配列される複数のピンを含み、
前記第１コネクタ部は、複数の前記ピンが挿入される複数のコネクタ挿入穴部を含み、
複数の前記ピンを、それぞれ、複数の前記コネクタ挿入穴部に挿入する際に、複数の前記ピンのうちの少なくとも一つが前記コネクタ挿入穴部に正常に挿入されない場合に、正常に挿入されない前記ピンが前記段差部に当接するように構成されている、請求項１に記載の電力変換装置。
【請求項３】
前記第２コネクタ部は、複数の前記ピンが配置される土台部をさらに含み、
複数の前記ピンは、前記土台部において、複数の前記ピンが配列される方向に直交する方向でかつ前記第１コネクタ部の前記第２基板側の面に沿った方向の一方側に偏って配置されており、
前記段差部は、前記支持部材側穴部の、複数の前記ピンが配列される方向に直交する方向でかつ前記第１コネクタ部の前記第２基板側の面に沿った方向の前記一方側に配置されている、請求項２に記載の電力変換装置。
【請求項４】
前記段差部は、複数の前記ピンの配列方向に沿うように設けられている、請求項３に記載の電力変換装置。
【請求項５】
前記段差部は、複数の前記ピンの配列方向に沿うように設けられた壁形状を有する、請求項４に記載の電力変換装置。
【請求項６】
前記段差部の前記第１基板に対する高さ位置は、前記第１コネクタ部の前記第２基板側の端部の前記第１基板に対する高さ位置よりも低い、請求項１〜５のいずれか１項に記載の電力変換装置。
【請求項７】
前記支持部材は、前記第１凸部に対向するように設けられ、前記第２コネクタ部を前記第１コネクタ部に接続する際に前記第２コネクタ部を案内する第２凸部をさらに含み、
前記第１凸部の前記支持部材の表面からの突出高さは、前記第２凸部の前記支持部材の表面からの突出高さに略等しい、請求項１〜６のいずれか１項に記載の電力変換装置。
【請求項８】
前記第２基板には、前記第１基板の前記第１コネクタ部に前記第２基板の前記第２コネクタ部が接続された状態で、前記第１凸部が挿入されるとともに前記第１凸部を露出させる第２基板側穴部が設けられている、請求項１〜７のいずれか１項に記載の電力変換装置。
【請求項９】
前記支持部材は、前記第１凸部に対向するように設けられ、前記第２コネクタ部を前記第１コネクタ部に接続する際に前記第２コネクタ部を案内する第２凸部をさらに含み、
前記第１凸部の前記支持部材の表面からの突出高さは、前記第２凸部の前記支持部材の表面からの突出高さよりも高い、請求項８に記載の電力変換装置。
【発明の詳細な説明】
【技術分野】
【０００１】
この発明は、電力変換装置に関し、特に、コネクタ部を含む複数の基板を備える電力変換装置に関する。
【背景技術】
【０００２】
従来、コネクタ部を含む複数の基板を備える電力変換装置が知られている（たとえば、特許文献１参照）。
【０００３】
上記特許文献１には、パワー半導体素子により構成される主回路部と、主回路部を制御するための制御回路部とを備えるインバータ装置が開示されている。このインバータ装置では、制御回路部は、電源プリント基板と、電源プリント基板の上方に積層された制御プリント基板とを含む。そして、電源プリント基板と制御プリント基板とは、ピンコネクタを介して互いに接続されている。具体的には、制御プリント基板の下面に設けられるピン（または、穴部）が、電源プリント基板の上面に設けられる穴部（または、ピン）に挿入されることにより、電源プリント基板と制御プリント基板とが接続される。
【先行技術文献】
【特許文献】
【０００４】
【特許文献１】特開２００６−３３３５９１号公報
【発明の概要】
【発明が解決しようとする課題】
【０００５】
しかしながら、上記特許文献１に記載のインバータ装置では、制御プリント基板の下面に設けられるピン（または、穴部）を、電源プリント基板の上面に設けられる穴部（または、ピン）に挿入するため、作業者は、ピンおよび穴部を上方から直接目視できない状態で、電源プリント基板に制御プリント基板を積層する。このため、ピンが穴部に正常に挿入されない状態で、電源プリント基板に制御プリント基板が積層される場合がある。この場合、インバータ装置の組み立て後の試験において、ピンコネクタの接続不良（ピンと穴部との接続不良）が初めて認知される。すなわち、上記特許文献１に記載のインバータ装置では、ピンコネクタ（コネクタ部）の接続不良の有無を組み立て時に認識できないという問題点がある。
【０００６】
この発明は、上記のような課題を解決するためになされたものであり、この発明の１つの目的は、組み立て時にコネクタ部の接続不良を認識することが可能な電力変換装置を提供することである。
【課題を解決するための手段】
【０００７】
上記目的を達成するために、この発明の一の局面による電力変換装置は、主回路部が設けられるとともに、第１コネクタ部を含む第１基板と、第１基板に積層するように設けられ、第１基板の第１コネクタ部に接続される第２コネクタ部を含む第２基板と、第１基板と第２基板との間に設けられ、第２基板を支持する支持部材とを備え、支持部材は、第１コネクタ部が挿入される支持部材側穴部と、支持部材側穴部の縁部の外側から第２基板側に突出する第１凸部と、支持部材側穴部と第１凸部との間に設けられる段差部とを含む。
【０００８】
この発明の一の局面による電力変換装置では、上記のように、支持部材側穴部と第１凸部との間に段差部を設ける。この段差部は、第２コネクタ部が第１コネクタ部に正常に接続されない場合に第２コネクタ部が当接して第２基板が第１基板側に移動するのを規制する。これにより、第２コネクタ部が第１コネクタ部に正常に接続されない場合、第２基板の第１基板側への移動が段差部により規制されるので（つまり、段差部に当接した第２コネクタ部が突っ張り棒の役割を果たすので）、第２コネクタ部が第１コネクタ部に正常に接続されない状態で、第２基板が第１基板に積層される（組み立てられる）ことが抑制される。その結果、作業者は、組み立て時に第２コネクタ部と第１コネクタ部との接続不良を認識することができる。これにより、組み立て後に第２コネクタ部と第１コネクタ部との接続不良が認識される場合と異なり、組み立て後に接続を正常に行うように改めて組み立て直す作業を行う必要がないので、組み立て直しに起因する作業ロスを抑制することができる。
【０００９】
上記一の局面による電力変換装置において、好ましくは、第２コネクタ部は、所定の方向に沿って配列される複数のピンを含み、第１コネクタ部は、複数のピンが挿入される複数のコネクタ挿入穴部を含み、複数のピンを、それぞれ、複数のコネクタ挿入穴部に挿入する際に、複数のピンのうちの少なくとも一つがコネクタ挿入穴部に正常に挿入されない場合に、正常に挿入されないピンが段差部に当接するように構成されている。ここで、ピンは、比較的折れ曲がりやすい。そこで、折れ曲がって正常に挿入されないピンが段差部に当接するように構成することは、ピンがコネクタ挿入穴部に正常に接続されない状態で第２基板が第１基板に積層されることを抑制する点において特に有効である。
【００１０】
この場合、好ましくは、第２コネクタ部は、複数のピンが配置される土台部をさらに含み、複数のピンは、土台部において、複数のピンが配列される方向に直交する方向でかつ第１コネクタ部の第２基板側の面に沿った方向の一方側に偏って配置されており、段差部は、支持部材側穴部の、複数のピンが配列される方向に直交する方向でかつ第１コネクタ部の第２基板側の面に沿った方向の一方側に配置されている。ここで、土台部に偏って配置されているピンは、偏っている側に折れ曲がりやすい。そこで、段差部を、ピンが偏る方向側である、複数のピンが配列される方向に直交する方向でかつ第１コネクタ部の第２基板側の面に沿った方向の一方側に配置することによって、折れ曲がって正常に挿入されないピンを段差部に容易に当接させることができる。
【００１１】
上記第２コネクタ部が複数のピンを含む電力変換装置において、好ましくは、段差部は、複数のピンの配列方向に沿うように設けられている。このように構成すれば、複数のピンのうちのいずれか１つ（または複数）が折れ曲がって正常にコネクタ挿入穴部に挿入されない場合に、折れ曲がった１つ（または複数）のピンを、複数のピンの配列方向に沿うように設けられている段差部に当接させることができる。
【００１２】
この場合、好ましくは、段差部は、複数のピンの配列方向に沿うように設けられた壁形状を有する。このように構成すれば、複数の段差部が複数のピンの配列方向に沿って所定の間隔で離散的に設けられている場合と異なり、折れ曲がったピンが段差部に当接せずに、隣接する段差部の間に挿入されるのを抑制することができる。すなわち、段差部が壁形状を有することによって、折れ曲がったピンを確実に段差部に当接させることができる。
【００１３】
上記一の局面による電力変換装置において、好ましくは、段差部の第１基板に対する高さ位置は、第１コネクタ部の上端の第１基板に対する高さ位置よりも低い。ここで、段差部の第１基板に対する高さ位置が、第１コネクタ部の上端の第１基板に対する高さ位置と略同じ（略面一）である場合、第１コネクタ部に正常に接続されない（折れ曲がった状態などの）第２コネクタ部が、第１コネクタ部と段差部との間の隙間に挿入される場合がある。すなわち、第１コネクタ部に正常に接続されない第２コネクタ部が段差部に当接しない場合がある。そこで、本発明では、上記のように、段差部の第１基板に対する高さ位置を、第１コネクタ部の上端の第１基板に対する高さ位置よりも低くする。このように構成すれば、第１コネクタ部に正常に接続されない（折れ曲がった状態などの）第２コネクタ部を、段差部に適切に当接させることができる。
【００１４】
上記一の局面による電力変換装置において、好ましくは、支持部材は、第１凸部に対向するように設けられ、第２コネクタ部を第１コネクタ部に接続する際に第２コネクタ部を案内する第２凸部をさらに含み、第１凸部の支持部材の表面からの突出高さは、第２凸部の支持部材の表面からの突出高さに略等しい。このように構成すれば、第１凸部の支持部材の表面からの突出高さが、第２凸部の支持部材の表面からの突出高さに略等しいので、第２コネクタ部が第１コネクタ部に正常に接続された場合に、第１凸部と第２凸部とによって、第２基板を支持することができる。その結果、第２基板のがたつきを抑制することができる。
【００１５】
上記一の局面による電力変換装置において、好ましくは、第２基板には、第１基板の第１コネクタ部に第２基板の第２コネクタ部が接続された状態で、第１凸部が挿入されるとともに第１凸部を露出させる第２基板側穴部が設けられている。このように構成すれば、第２コネクタ部が第１コネクタ部に正常に接続された場合に、第１凸部が第２基板側穴部に挿入されて露出する。これにより、作業者が、第２コネクタ部が第１コネクタ部に正常に接続されたことを、第１凸部が第２基板側穴部から露出していることを目視することによって視覚的に認識することができる。
【００１６】
この場合、好ましくは、支持部材は、第１凸部に対向するように設けられ、第２コネクタ部を第１コネクタ部に接続する際に第２コネクタ部を案内する第２凸部をさらに含み、第１凸部の支持部材の表面からの突出高さは、第２凸部の支持部材の表面からの突出高さよりも高い。このように構成すれば、第２コネクタ部が第１コネクタ部に正常に接続された場合に、第２凸部によって第２基板を支持した状態で、第２凸部よりも突出高さの高い第１凸部を第２基板側穴部に挿入するとともに露出させることができる。
【発明の効果】
【００１７】
本発明によれば、上記のように、組み立て時にコネクタ部の接続不良を認識することができる。
【図面の簡単な説明】
【００１８】
【図１】第１実施形態による電力変換装置の分解斜視図である。
【図２】第１実施形態による電力変換装置の上面図である。
【図３】図２の２００−２００線に沿った断面図である。
【図４】第１実施形態による電力変換装置の支持部材に設けられる凸部の斜視図である。
【図５】第１実施形態による電力変換装置の支持部材に設けられる凸部の上面図（模式図）である。
【図６】第１実施形態による電力変換装置の基板の裏面側（コネクタ部が設けられる側）を示す図である。
【図７】第１実施形態による電力変換装置のコネクタ部（土台部、ピン）の斜視図である。
【図８】ピンをコネクタ部の穴部に挿入する前の状態を示す斜視図である。
【図９】ピンが折れ曲がった状態を示す側面図（模式図）である。
【図１０】折れ曲がったピンが段差部に当接する状態を示す側面図（模式図）である。
【図１１】第２実施形態による電力変換装置の断面図である。
【図１２】折れ曲がったピンが段差部に当接する状態を示す側面図（模式図）である。
【発明を実施するための形態】
【００１９】
以下、本発明を具体化した実施形態を図面に基づいて説明する。
【００２０】
図１〜図１０を参照して、第１実施形態による電力変換装置１の構成について説明する。電力変換装置１は、たとえば、インバータ装置である。
【００２１】
図１および図２に示すように、電力変換装置１は、主回路部１１が設けられる基板１０を備えている。主回路部１１は、パワー半導体素子などにより構成されている。また、主回路部１１は、冷却フィン（図示せず）の上方に載置されており、主回路部１１から発熱された熱は、冷却フィンにより放熱されるように構成されている。なお、基板１０は、特許請求の範囲の「第１基板」の一例である。
【００２２】
また、基板１０には、コネクタ部１２が設けられている。コネクタ部１２は、２つ（コネクタ部１２ａおよび１２ｂ）設けられている。コネクタ部１２ａおよび１２ｂは、Ｙ方向に沿って並んで配置されている。なお、コネクタ部１２ａおよび１２ｂの構成は、互いに略同様である。なお、コネクタ部１２、１２ａおよび１２ｂは、特許請求の範囲の「第１コネクタ部」の一例である。
【００２３】
また、図３に示すように、コネクタ部１２は、基板１０の表面上（Ｚ１方向側）に配置されている。また、コネクタ部１２は、略角柱形状（詳細には、Ｕ字状に折れ曲がった角柱形状、図４および図５）を有する。また、コネクタ部１２は、Ｘ方向に沿うように配置されている。
【００２４】
また、図４および図５に示すように、コネクタ部１２は、後述するコネクタ部２１の複数のピン２３が挿入される複数の穴部１３を含む。複数の穴部１３は、Ｘ方向に沿うように配列されている。また、個々の穴部１３は、Ｚ方向に沿って延びる穴形状を有している。また、複数の穴部１３は、後述する複数のピン２３が配列されるＸ方向に直交する方向でかつコネクタ部１２の基板２０側の面１２ｃに沿ったＹ方向の一方側（Ｙ１方向側）に偏って配置されている。なお、穴部１３は、特許請求の範囲の「コネクタ挿入穴部」の一例である。
【００２５】
また、図１に示すように、電力変換装置１は、基板１０に積層するように設けられる基板２０を備えている。基板２０は、基板１０のＺ１方向側に配置されている。また、基板２０には、主回路部１１を構成するパワー半導体素子を駆動するためのゲート駆動回路が設けられている。なお、基板２０は、特許請求の範囲の「第２基板」の一例である。
【００２６】
また、図６に示すように、基板２０は、基板１０のコネクタ部１２に接続されるコネクタ部２１を含む。コネクタ部２１は、２つのコネクタ部１２ａおよび１２ｂに対応するように２つ（コネクタ部２１ａおよび２１ｂ）設けられている。コネクタ部２１ａおよび２１ｂは、Ｙ方向に沿って並んで配置されている。なお、コネクタ部２１ａおよび２１ｂの構成は、互いに略同様である。また、コネクタ部２１は、基板２０の裏面上（Ｚ２方向側）に配置されている。なお、コネクタ部２１、２１ａおよび２１ｂは、特許請求の範囲の「第２コネクタ部」の一例である。
【００２７】
また、図７に示すように、コネクタ部２１は、土台部２２と、土台部２２に配置される複数のピン２３とを備えている。土台部２２は、略直方体形状を有する。土台部２２は、Ｘ方向に沿うように配置されている。また、複数のピン２３は、土台部２２において、Ｘ方向に沿うように配列されている。また、複数のピン２３は、複数のピン２３が配列されるＸ方向に直交する方向でかつコネクタ部１２の基板２０側の面１２ｃ（図４参照）に沿った方向の一方側（Ｙ１方向側）に偏って配置されている。
【００２８】
また、図３に示すように、電力変換装置１は、基板１０と基板２０との間に設けられ、基板２０を支持する支持部材３０を備えている。支持部材３０は、たとえば、樹脂などにより構成されている。支持部材３０は、コネクタ部１２が挿入される穴部３１を含む。穴部３１は、２つのコネクタ部１２ａおよび１２ｂに対応するように２つ（穴部３１ａおよび３１ｂ）設けられている。穴部３１は、平面視において、コネクタ部１２の形状に対応する形状を有する。すなわち、穴部３１は、平面視において、略Ｕ字形状（図５参照）を有する。なお、穴部３１、３１ａおよび３１ｂは、特許請求の範囲の「支持部材側穴部」の一例である。
【００２９】
また、図３に示すように、支持部材３０は、平板形状を有しており、支持部材３０の裏面から突出する周状の壁部３２により、穴部３１が構成されている。
【００３０】
また、図３に示すように、支持部材３０は、穴部３１の縁部３３の外側から基板２０側に突出する凸部３４を含む。ここで、第１実施形態では、支持部材３０は、穴部３１と凸部３４との間に設けられる段差部３５を含む。段差部３５は、コネクタ部２１がコネクタ部１２に正常に接続されない場合にコネクタ部２１が当接（図１０参照）して基板２０が基板１０側に移動するのを規制するように構成されている。具体的には、複数のピン２３を、それぞれ、複数の穴部１３に挿入する際に、複数のピン２３のうちの少なくとも一つが穴部１３に正常に挿入されない場合に、正常に挿入されないピン２３が段差部３５に当接するように構成されている。なお、凸部３４は、特許請求の範囲の「第１凸部」の一例である。
【００３１】
また、第１実施形態では、段差部３５は、穴部３１の、複数のピン２３が配列されるＸ方向に直交する方向でかつコネクタ部１２の基板２０側の面１２ｃに沿ったＹ方向の一方側（Ｙ１方向側）に配置されている。すなわち、段差部３５は、土台部２２において、複数のピン２３が偏って配置されるＹ１方向側と同じ方向側に配置されている。
【００３２】
また、第１実施形態では、図５に示すように、段差部３５は、複数のピン２３の配列方向（Ｘ方向）に沿うように設けられている。また、段差部３５は、複数のピン２３の配列方向に沿うように設けられた壁形状を有する。具体的には、平面視において、凸部３４は、の穴部３１のＹ１方向側の略直線状の側面に沿うように、略直線状に設けられている。また、凸部３４は、Ｘ方向に沿うように設けられた壁形状を有する。そして、段差部３５は、穴部３１のＹ１方向側の側面と、Ｘ方向に沿うように設けられる凸部３４との間に設けられている。
【００３３】
また、第１実施形態では、図３に示すように、段差部３５の基板１０に対する高さ位置ｈ１は、コネクタ部１２の基板２０側の端部（面１２ｃ）の基板１０に対する高さ位置ｈ２よりも低い。たとえば、段差部３５の高さ位置ｈ１は、コネクタ部１２のＺ方向の中央部よりも、基板２０側に位置している。
【００３４】
また、図５に示すように、段差部３５のＹ方向の幅Ｗ１は、穴部１３のＹ方向の幅Ｗ２（ピン２３のＹ方向の幅Ｗ６、図３参照）よりも大きい。また、図３に示すように、段差部３５と凸部３４との境界部分は、Ｒ形状を有する。また、図５に示すように、段差部３５のＸ１方向側およびＸ２方向側の端部は、後述する凸部３６に接続されている。また、段差部３５のＸ方向の幅Ｗ３は、コネクタ部１２のＸ方向の幅Ｗ４よりも大きい。
【００３５】
また、図３に示すように、支持部材３０は、凸部３４に対向するように設けられる凸部３６を含む。凸部３６は、コネクタ部２１をコネクタ部１２に接続する際にコネクタ部２１を案内する機能を有する。具体的には、凸部３６は、穴部３１の縁部３３から基板２０側に突出するように設けられている。すなわち、穴部３１の内側面と、凸部３６のＹ１方向側の面とは、略面一になる。なお、凸部３６は、特許請求の範囲の「第２凸部」の一例である。
【００３６】
また、図４に示すように、凸部３６は、略Ｕ字形状の穴部３１の外周に沿った壁形状を有する。そして、凸部３４と凸部３６とは、連続して形成（接続）されている。これにより、凸部３４と凸部３６とによって、穴部３１を取り囲むように構成されている。また、凸部３４と凸部３６とは、支持部材３０に一体的に形成されている。
【００３７】
そして、第１実施形態では、図３に示すように、凸部３４の支持部材３０の表面からの突出高さｈ３は、凸部３６の支持部材３０の表面からの突出高さｈ４に略等しい。すなわち、連続して形成（接続）されている凸部３４の上面（Ｚ１方向側の面）と、凸部３６の上面（Ｚ１方向側の面）とは、略平坦に形成されている。また、凸部３６の根元側の部分（Ｚ２方向側の部分）は、Ｒ形状を有する。なお、基板２０が基板１０に積層された状態で、凸部３４および凸部３６と、基板２０とは、離間している。
【００３８】
また、コネクタ部１２と、穴部３１との間には、隙間Ｃが設けられている。たとえば、隙間ＣのＹ方向の幅Ｗ５は、ピン２３のＹ方向の幅Ｗ６よりも大きい。この隙間Ｃが設けられていることにより、穴部３１の寸法誤差（コネクタ部１２の寸法誤差）に起因して、穴部３１にコネクタ部１２が挿入できなくなることが抑制される。
【００３９】
また、図１に示すように、支持部材３０の中央部近傍には、基板１０に設けられる素子（トランスなど）が挿入される穴部３７が設けられている。また、図２に示すように、基板２０の中央部近傍にも、基板１０に設けられる素子（トランスなど）が挿入される穴部２４が設けられている。
【００４０】
次に、図８〜図１０を参照して、コネクタ部２１のピン２３が、コネクタ部１２の穴部１３に正常に接続されない場合について説明する。
【００４１】
まず、図８に示すように、コネクタ部１２にコネクタ部２１を接続するために、基板２０が基板１０側に移動される。ここで、図９に示すように、ピン２３が穴部１３に正常に接続されない場合、たとえば、ピン２３がコネクタ部１２の面１２ｃに当接して、ピン２３がＹ１方向側に折れ曲がる場合がある。なお、土台部２２においてピン２３がＹ１方向側に偏って配置されているので、ピン２３は、Ｙ１方向側に折れ曲がり易い。そして、図１０に示すように、基板２０を、さらに基板１０側に移動させることにより、折れ曲がったピン２３が段差部３５に直接当接する。または、折れ曲がったピン２３が凸部３４に当接した後、段差部３５に当接する。これにより、基板２０が基板１０側に移動するのが規制される。その結果、作業者は、ピン２３が、穴部１３に正常に接続されないことを認識することが可能になる。
【００４２】
（第１実施形態の効果）
第１実施形態では、以下のような効果を得ることができる。
【００４３】
第１実施形態では、上記のように、穴部３１と凸部３４との間に、段差部３５を設ける。この段差部３５は、コネクタ部２１がコネクタ部１２に正常に接続されない場合にコネクタ部２１が当接して基板２０が基板１０側に移動するのを規制する。これにより、コネクタ部２１がコネクタ部１２に正常に接続されない場合、基板２０の基板１０側への移動が段差部３５により規制されるので（つまり、段差部３５に当接したコネクタ部２１が突っ張り棒の役割を果たすので）、コネクタ部２１がコネクタ部１２に正常に接続されない状態で、基板２０が基板１０に積層される（組み立てられる）ことが抑制される。その結果、作業者は、組み立て時にコネクタ部２１とコネクタ部１２との接続不良を認識することができる。これにより、組み立て後にコネクタ部２１とコネクタ部１２の接続不良が認識される場合と異なり、組み立て後に接続を正常に行うように改めて組み立て直す作業を行う必要がないので、組み立て直しに起因する作業ロスを抑制することができる。
【００４４】
また、第１実施形態では、上記のように、複数のピン２３を、それぞれ、複数の穴部１３に挿入する際に、複数のピン２３のうちの少なくとも一つが穴部１３に正常に挿入されない場合に、正常に挿入されないピン２３が段差部３５に当接するように構成されている。ここで、ピン２３は、比較的折れ曲がりやすい。そこで、折れ曲がって正常に挿入されないピン２３が段差部３５に当接するように構成することは、ピン２３が穴部１３に正常に接続されない状態で基板２０が基板１０に積層されることを抑制する点において特に有効である。
【００４５】
また、第１実施形態では、上記のように、複数のピン２３は、土台部２２において、複数のピン２３が配列される方向に直交する方向でかつコネクタ部１２の基板２０側の面１２ｃに沿った方向の一方側に偏って配置されており、段差部３５は、穴部３１の、複数のピン２３が配列される方向に直交する方向でかつコネクタ部１２の基板２０側の面１２ｃに沿った方向の一方側に配置されている。ここで、土台部２２に偏って配置されているピン２３は、偏っている側に折れ曲がりやすい。そこで、段差部３５を、ピン２３が偏る方向側である、複数のピン２３が配列される方向に直交する方向でかつコネクタ部１２の基板２０側の面１２ｃに沿った方向の一方側に配置することによって、折れ曲がって正常に挿入されないピン２３を段差部３５に容易に当接させることができる。
【００４６】
また、第１実施形態では、上記のように、段差部３５は、複数のピン２３の配列方向に沿うように設けられている。これにより、複数のピン２３のうちのいずれか１つ（または複数）が折れ曲がって正常に穴部１３に挿入されない場合に、折れ曲がった１つ（または複数）のピン２３を、複数のピン２３の配列方向に沿うように設けられている段差部３５に当接させることができる。
【００４７】
また、第１実施形態では、上記のように、段差部３５は、複数のピン２３の配列方向に沿うように設けられた壁形状を有する。これにより、複数の段差部３５が複数のピン２３の配列方向に沿って所定の間隔で離散的に設けられている場合と異なり、折れ曲がったピン２３が段差部３５に当接せずに、隣接する段差部３５の間に挿入されるのを抑制することができる。すなわち、段差部３５が壁形状を有することによって、折れ曲がったピン２３を確実に段差部３５に当接させることができる。
【００４８】
また、第１実施形態では、上記のように、段差部３５の基板１０に対する高さ位置ｈ１は、コネクタ部１２の上端の基板１０に対する高さ位置ｈ２よりも低い。ここで、段差部３５の基板１０に対する高さ位置ｈ１が、コネクタ部１２の上端の基板１０に対する高さ位置ｈ２と略同じ（略面一）である場合、コネクタ部１２に正常に接続されない（折れ曲がった状態などの）コネクタ部２１が、コネクタ部１２と段差部３５との間の隙間Ｃに挿入される場合がある。すなわち、コネクタ部１２に正常に接続されないコネクタ部２１が段差部３５に当接しない場合がある。そこで、第１実施形態では、上記のように、段差部３５の基板１０に対する高さ位置ｈ１を、コネクタ部１２の上端の基板１０に対する高さ位置ｈ２よりも低くする。これにより、コネクタ部１２に正常に接続されない（折れ曲がった状態などの）コネクタ部２１を、段差部３５に適切に当接させることができる。
【００４９】
また、第１実施形態では、上記のように、凸部３４の支持部材３０の表面からの突出高さｈ３は、凸部３６の支持部材３０の表面からの突出高さｈ４に略等しい。これにより、凸部３４の支持部材３０の表面からの突出高さｈ３が、凸部３６の支持部材３０の表面からの突出高さｈ４に略等しいので、コネクタ部２１がコネクタ部１２に正常に接続された場合に、凸部３４と凸部３６とによって、基板２０を支持することができる。その結果、基板２０のがたつきを抑制することができる。
【００５０】
［第２実施形態］
次に、図１１および図１２を参照して、第２実施形態による電力変換装置１００について説明する。電力変換装置１００では、基板１２０に穴部１２５が設けられている。
【００５１】
図１１に示すように、電力変換装置１００の支持部材１３０には、穴部１３１の縁部１３３の外側から基板１２０側に突出する凸部１３４が設けられている。ここで、第２実施形態では、凸部１３４の支持部材１３０の表面からの突出高さｈ１１は、凸部１３６の支持部材１３０の表面からの突出高さｈ１２よりも高い。具体的には、突出高さｈ１１は、突出高さｈ１２よりも、基板１２０の厚みｔ分（または、厚みｔより小さい厚さ分）、高い。なお、穴部１３１は、特許請求の範囲の「支持部材側穴部」の一例である。また、凸部１３４は、特許請求の範囲の「第１凸部」の一例である。また、凸部１３６は、特許請求の範囲の「第２凸部」の一例である。
【００５２】
また、第２実施形態では、基板１２０には、穴部１２５が設けられている。穴部１２５は、基板１０のコネクタ部１２に基板１２０のコネクタ部２１が接続された状態で、凸部１３４が挿入されるとともに凸部１３４を露出させるように構成されている。穴部１２５は、２つのコネクタ部１２ａおよび１２ｂに対応するように２つ設けられている。また、穴部１２５は、平面視において、凸部３４に対応する形状（略長方形形状）を有する。なお、穴部１２５は、特許請求の範囲の「第２基板側穴部」の一例である。
【００５３】
次に、図１２（図１１）を参照して、コネクタ部２１のピン２３が、コネクタ部１２の穴部１３に正常に接続されない場合（正常に接続された場合）について説明する。
【００５４】
まず、コネクタ部１２にコネクタ部２１を接続するために、基板１２０が基板１０側に移動される。ここで、ピン２３が穴部１３に正常に接続されない場合、ピン２３がＹ１方向側に折れ曲がる。そして、基板１２０を、さらに基板１０側に移動させることにより、折れ曲がったピン２３が段差部１３５に当接する。これにより、基板１２０が基板１０側に移動するのが規制されるので、凸部１３４は、穴部１２５に挿入されない。その結果、作業者は、ピン２３が、穴部１３に正常に接続されないことを認識することが可能になる。また、作業者は、穴部１２５からピン２３の状態（ピン２３が穴部１３に正常に接続されたか否か）を目視により認識することが可能である。
【００５５】
一方、図１１に示すように、基板１０のコネクタ部１２に基板１２０のコネクタ部２１が正常に接続された場合、凸部１３４が穴部１２５に挿入されるとともに、凸部１３４が穴部１２５から露出する。
【００５６】
（第２実施形態の効果）
第２実施形態では、以下のような効果を得ることができる。
【００５７】
第２実施形態では、上記のように、基板１２０には、基板１０のコネクタ部１２に基板１２０のコネクタ部２１が接続された状態で、凸部１３４が挿入されるとともに凸部１３４を露出させる穴部１２５が設けられている。これにより、コネクタ部２１がコネクタ部１２に正常に接続された場合に、凸部１３４が穴部１２５に挿入されて露出する。その結果、作業者が、コネクタ部２１がコネクタ部１２に正常に接続されたことを、凸部１３４が穴部１２５から露出していることを目視することによって視覚的に認識することができる。
【００５８】
また、第２実施形態では、上記のように、凸部１３４の支持部材１３０の表面からの突出高さｈ１１は、凸部１３６の支持部材１３０の表面からの突出高さｈ１２よりも高い。これにより、コネクタ部２１がコネクタ部１２に正常に接続された場合に、凸部１３６によって基板１２０を支持した状態で、凸部１３６よりも突出高さｈ１１の高い凸部１３４を穴部１２５に挿入するとともに露出させることができる。
【００５９】
[変形例]
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【００６０】
たとえば、上記第１および第２実施形態では、コネクタ部２１にピン２３が設けられている例について示したが、本発明はこれに限られない。たとえば、コネクタ部２１にピン２３以外の形状の接続端子が設けられていてもよい。
【００６１】
また、上記第１および第２実施形態では、土台部２２においてピン２３がＹ１方向側に偏って配置されている例について示したが、本発明はこれに限られない。たとえば、土台部２２の略中央（Ｙ方向における略中央）にピン２３が配置されていてもよい。また、土台部２２においてピン２３がＹ２方向側に偏って配置されていてもよい。この場合、段差部３５（段差部１３５）は、穴部３１（穴部１３１）のＹ２方向側に配置される。
【００６２】
また、上記第１および第２実施形態では、複数のピン２３が設けられる例について示したが、本発明はこれに限られない。たとえば、ピン２３の数は１つでもよい。
【００６３】
また、上記第１および第２実施形態では、段差部３５（段差部１３５）が、複数のピン２３の配列方向に沿うように設けられた壁形状を有する例について示したが、本発明はこれに限られない。たとえば、複数の段差部が、複数のピン２３の配列方向に沿って離散的に（飛び石状に）配置されていてもよい。
【００６４】
また、上記第１および第２実施形態では、凸部３４（凸部１３４）と、凸部３６（凸部１３６）とが連続して形成されている例について示したが、本発明はこれに限られない。たとえば、凸部３４（凸部１３４）と、凸部３６（凸部１３６）とが、離散的に形成されていてもよい。
【００６５】
また、上記第１および第２実施形態では、コネクタ部１２（コネクタ部２１）が、２つ設けられている例について示したが、本発明はこれに限られない。コネクタ部１２（コネクタ部２１）の数は、１つでもよいし、３つ以上でもよい。
【符号の説明】
【００６６】
１、１００  電力変換装置
１０  基板（第１基板）
１１  主回路部
１２、１２ａ、１２ｂ  コネクタ部（第１コネクタ部）
１２ｃ  面
１３  穴部（コネクタ挿入穴部）
２０  基板（第２基板）
２１、２１ａ、２１ｂ  コネクタ部（第２コネクタ部）
２２  土台部
２３  ピン
３０  支持部材
３１、３１ａ、３１ｂ、１３１  穴部（支持部材側穴部）
３３、１３３  縁部
３４、１３４  凸部（第１凸部）
３５、１３５  段差部
３６、１３６  凸部（第２凸部）
１２５  穴部（第２基板側穴部）
【図１】
2018196161.tif 000003
【図２】
2018196161.tif 000004
【図３】
2018196161.tif 000005
【図４】
2018196161.tif 000006
【図５】
2018196161.tif 000007
【図６】
2018196161.tif 000008
【図７】
2018196161.tif 000009
【図８】
2018196161.tif 000010
【図９】
2018196161.tif 000011
【図１０】
2018196161.tif 000012
【図１１】
2018196161.tif 000013
【図１２】
2018196161.tif 000014